【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）サーバにおいて実行される方法であって、
Ｍ２Ｍアプリケーションから、第１のリソースタイプの第１のリソースを対象にする第１の要求を受信するステップであって、前記第１のリソースタイプは、クライアントＭ２Ｍデバイスと関連して機能の実行を促進するように構成される、ステップと、
前記Ｍ２Ｍアプリケーションに、前記第１の要求に対する第１の応答を送信するステップであって、前記第１の応答は、確認応答と、前記機能の実行の状態および結果のうちのいずれかの読み出しのために使用する参照とを含む、ステップと、
第２のリソースタイプの第２のリソースを自立的に作成するステップであって、前記第２のリソースタイプは、前記第１のリソースから分離した前記状態および前記結果のうちのいずれかを記憶するために構成され、前記第２のリソースは、前記状態および前記結果のうちのいずれかを記憶するための１つまたは複数のコンテナを含む複数のサブリソースを含み、前記参照は、前記複数のサブリソースのうちの１つまたは複数に対応する、ステップと、
前記第１のリソースにアクセスして、前記状態および前記結果のうちのいずれかを取得するステップと、
前記取得された状態および前記取得された結果のうちのいずれかを、前記第２のリソースのうちの前記１つまたは複数のコンテナに記憶するステップと
を備えたことを特徴とする方法。
【請求項２】
前記Ｍ２Ｍアプリケーションから、前記参照を含む第２の要求を受信するステップと、
前記Ｍ２Ｍアプリケーションに第２の応答を送信するステップであって、前記第２の応答は、前記１つまたは複数のコンテナから抽出された前記取得された状態および前記取得された結果のうちのいずれかを含む、ステップと
をさらに備えたことを特徴とする請求項１に記載の方法。
【請求項３】
前記第１の要求は、第１のＲＥＳＴｆｕｌメソッドを含み、前記第２の要求は、ＲＥＴＲＩＥＶＥ  ＲＥＳＴｆｕｌメソッドを含むことを特徴とする請求項１および２のいずれか一項に記載の方法。
【請求項４】
前記第１のリソースは、第１の複数のサブリソースを含み、前記第１の要求は、前記第１の複数のサブリソースのうちの１つまたは複数をインスタンス化するために使用する情報を含むことを特徴とする請求項１乃至３のいずれか一項に記載の方法。
【請求項５】
前記第１のリソースは、第１の複数のサブリソースを含み、前記第２のリソースの前記複数のサブリソースは、第２の複数のサブリソースであり、ならびに前記第１の要求は、前記第１の複数のサブリソースのうちの１つまたは複数および前記第２の複数のリソースのうちの１つまたは複数をインスタンス化するために使用する情報を含むことを特徴とする請求項１乃至３のいずれか一項に記載の方法。
【請求項６】
第２のリソースを自立的に作成するステップは、前記第１のＲＥＳＴｆｕｌメソッドで前記第２のリソースをインスタンス化するステップを含むことを特徴とする請求項５に記載の方法。
【請求項７】
前記情報は、前記対象にされた第１のリソースへの参照および前記第１の要求を行うエンティティの識別のうちのいずれかを含むことを特徴とする請求項５に記載の方法。
【請求項８】
第２のリソースを自立的に作成するステップは、前記第１のＲＥＳＴｆｕｌメソッド、前記対象にされた第１のリソースへの前記参照および前記第１の要求を行う前記エンティティの前記識別のうちのいずれかで前記第２のリソースをインスタンス化するステップを含むことを特徴とする請求項７に記載の方法。
【請求項９】
前記第１のＲＥＳＴｆｕｌメソッドは、ＣＲＥＡＴＥ  ＲＥＳＴｆｕｌメソッドであり、前記方法は、前記第１のリソースタイプに対応するテンプレートを使用して前記第１のリソースを作成するステップをさらに備えたことを特徴とする請求項３に記載の方法。
【請求項１０】
前記第１のＲＥＳＴｆｕｌメソッドは、ＵＰＤＡＴＥ  ＲＥＳＴｆｕｌメソッドまたはＲＥＴＲＩＥＶＥ  ＲＥＳＴｆｕｌメソッドであることを特徴とする請求項３に記載の方法。
【請求項１１】
受信機、送信機、プロセッサおよびメモリを含み、
Ｍ２Ｍアプリケーションから、第１のリソースタイプの第１のリソースを対象にする第１の要求を受信し、前記第１のリソースタイプは、クライアントＭ２Ｍデバイスと関連して機能の実行を促進するように構成され、
前記Ｍ２Ｍアプリケーションに、前記第１の要求に対する第１の応答を送信し、前記第１の応答は、確認応答と、前記機能の実行の状態および結果のうちのいずれかの読み出しのために使用する参照とを含み、
第２のリソースタイプの第２のリソースを自立的に作成し、前記第２のリソースタイプは、前記第１のリソースから分離した前記状態および前記結果のうちのいずれかを記憶するために構成され、前記第２のリソースは、前記状態および前記結果のうちのいずれかを記憶するための１つまたは複数のコンテナを含む複数のサブリソースを含み、前記参照は、前記複数のサブリソースのうちの１つまたは複数に対応し、
前記第１のリソースにアクセスして、前記状態および前記結果のうちのいずれかを取得し、ならびに
前記取得された状態および前記取得された結果のうちのいずれかを、前記第２のリソースのうちの前記１つまたは複数のコンテナに記憶する
ように構成された回路を備えたことを特徴とするマシンツーマシン（Ｍ２Ｍ）サーバ。
【請求項１２】
前記回路は、
前記Ｍ２Ｍアプリケーションから、前記参照を含む第２の要求を受信し、ならびに
前記Ｍ２Ｍアプリケーションに第２の応答を送信し、前記第２の応答は、前記１つまたは複数のコンテナから抽出された前記取得された状態および前記取得された結果のうちのいずれかを含む
ようにさらに構成されていることを特徴とする請求項１１に記載のＭ２Ｍサーバ。
【請求項１３】
前記第１の要求は、第１のＲＥＳＴｆｕｌメソッドを含み、前記第２の要求は、ＲＥＴＲＩＥＶＥ  ＲＥＳＴｆｕｌメソッドを含むことを特徴とする請求項１１および１２のいずれか一項に記載のＭ２Ｍサーバ。
【請求項１４】
前記第１のリソースは、第１の複数のサブリソースを含み、前記第１の要求は、前記第１の複数のサブリソースのうちの１つまたは複数をインスタンス化するために使用する情報を含むことを特徴とする請求項１１乃至１３のいずれか一項に記載のＭ２Ｍサーバ。
【請求項１５】
前記第１のリソースは、第１の複数のサブリソースを含み、前記第２のリソースの前記複数のサブリソースは、第２の複数のサブリソースであり、ならびに前記第１の要求は、前記第１の複数のサブリソースのうちの１つまたは複数および前記第２の複数のリソースのうちの１つまたは複数をインスタンス化するために使用する情報を含むことを特徴とする請求項１１乃至１３のいずれか一項に記載のＭ２Ｍサーバ。
【請求項１６】
前記回路は、前記第１のＲＥＳＴｆｕｌメソッドで前記第２のリソースをインスタンス化することによって、前記第２のリソースを自立的に作成するように構成されていることを特徴とする請求項１５に記載のＭ２Ｍサーバ。
【請求項１７】
前記情報は、前記対象にされた第１のリソースへの参照および前記第１の要求を行うエンティティの識別のうちのいずれかを含むことを特徴とする請求項１５に記載のＭ２Ｍサーバ。
【請求項１８】
前記回路は、前記第１のＲＥＳＴｆｕｌメソッド、前記対象にされた第１のリソースへの前記参照および前記第１の要求を行う前記エンティティの前記識別のうちのいずれかで前記第２のリソースをインスタンス化することによって、前記第２のリソースを自立的に作成するように構成されていることを特徴とする請求項１７に記載のＭ２Ｍサーバ。
【請求項１９】
前記第１のＲＥＳＴｆｕｌメソッドは、ＣＲＥＡＴＥ  ＲＥＳＴｆｕｌメソッドであり、前記回路は、前記第１のリソースタイプに対応するテンプレートを使用して前記第１のリソースを作成するようにさらに構成されていることを特徴とする請求項１３に記載のＭ２Ｍサーバ。
【請求項２０】
前記第１のＲＥＳＴｆｕｌメソッドは、ＵＰＤＡＴＥ  ＲＥＳＴｆｕｌメソッドまたはＲＥＴＲＩＥＶＥ  ＲＥＳＴｆｕｌメソッドであることを特徴とする請求項１３に記載のＭ２Ｍサーバ。